(57)【要約】      （修正有）【課題】内部に水が入り込むことを抑制できるモータを提供する。【解決手段】モータ１は、静止部と、中心軸を中心として回転する回転部と、静止部に対して回転部を回転可能に支持する軸受部と、を有する。静止部は、軸方向一方側の端面に、軸方向一方側に向けて突出する環状の突出部２２を有する。回転部は、軸方向に延び、軸受部の径方向内側に位置するシャフト３１と、静止部の軸方向一方側の端面より軸方向一方側に離間した位置にて前記シャフトに固定されるカバー部３３と、を有する。カバー部は、突出部よりも径方向内側に位置する。カバー部の外周面の少なくとも一部は、突出部の内周面と径方向に対向する。突出部は、軸方向他方側に向けて凹む溝部２２１を有する。溝部は、突出部の内周面側に開口する第１開口部と、突出部の外周面側に開口する第２開口部とを有する。第２開口部は、周方向において第１開口部よりも回転部の回転方向前方側に配置される。【選択図】図５
2018198503.tif 000002
【特許請求の範囲】
【請求項１】
モータであって、
静止部と、
中心軸を中心として回転する回転部と、
前記静止部に対して前記回転部を回転可能に支持する軸受部と、
を有し、
前記静止部は、軸方向一方側の端面に、軸方向一方側に向けて突出する環状の突出部を有し、
前記回転部は、
軸方向に延び、前記軸受部の径方向内側に位置するシャフトと、
前記静止部の軸方向一方側の前記端面より軸方向一方側に離間した位置にて前記シャフトに固定されるカバー部と、
を有し、
前記カバー部は、前記突出部よりも径方向内側に位置し、
前記カバー部の外周面の少なくとも一部は、前記突出部の内周面と径方向に対向し、
前記突出部は、軸方向他方側に向けて凹む溝部を有し、
前記溝部は、前記突出部の内周面側に開口する第１開口部と、前記突出部の外周面側に開口する第２開口部とを有し、
前記第２開口部は、周方向において前記第１開口部よりも前記回転部の回転方向前方側に配置される、モータ。
【請求項２】
前記第１開口部の周方向の幅は、前記第２開口部の周方向の幅より大きい、請求項１に記載のモータ。
【請求項３】
前記第１開口部の周方向の幅は、前記カバー部の外周面と前記突出部の内周面との径方向の距離より大きい、請求項１又は２に記載のモータ。
【請求項４】
前記溝部の周方向に対向する一対の側壁のうち、少なくとも回転方向後方側に位置する側壁は平面を有する、請求項１から３のいずれか１項に記載のモータ。
【請求項５】
前記溝部は、周方向に間隔をあけて複数設けられる、請求項１から４のいずれか１項に記載のモータ。
【請求項６】
前記中心軸が水平方向に延び、
前記溝部が、前記中心軸を含む水平面よりも鉛直方向下側に配置される、請求項１から５のいずれか１項に記載のモータ。
【請求項７】
前記溝部の少なくとも１つにおいて、前記第１開口部から鉛直方向下向きに向かう方向に前記第２開口部が位置する、請求項６に記載のモータ。
【請求項８】
前記静止部は、軸方向一方側の前記端面に、前記突出部より径方向内側、且つ、前記シャフトより径方向外側に配置され、軸方向一方側に向けて突出する第１環状凸部を有し、
前記軸受部は、前記第１環状凸部より軸方向他方側に位置し、
前記カバー部は、軸方向他方側に開口するカップ形状であり、
前記カバー部の軸方向に延びるカバー側壁は、前記突出部と前記第１環状凸部との間に位置する、請求項１から７のいずれか１項に記載のモータ。
【請求項９】
前記第１環状凸部の軸方向一方側の端面は、前記突出部の軸方向一方側の端面よりも軸方向一方側に位置する、請求項８に記載のモータ。
【請求項１０】
前記第１環状凸部には、前記第１環状凸部の外周面より径方向内側に配置され、軸方向一方側に向けて突出する第２環状凸部が設けられ、
前記カバー部の内部には、軸方向一方側に向けて凹み、前記第２環状凸部と対向する環状凹部が設けられている、請求項８又は９に記載のモータ。
【発明の詳細な説明】
【技術分野】
【０００１】
本発明はモータに関する。
【背景技術】
【０００２】
特開２０１６−１１６３９６号公報には、回転軸と、支持部と、カバー部とを有する回転電機が開示される。回転軸は、回転電機本体内に設けられた回転子を回転させる。支持部は、回転電機本体部に設けられ、回転軸を支持する。カバー部は、回転軸のうち支持部よりも外側に突出する部位に固定され、支持部を覆う。回転電機は、支持部とカバー部とで構成されるラビリンス構造部により軸封構造を実現している。ラビリンス構造部により、水や異物が支持部内や回転電機内に入り込むことを回避することができる。回転電機は、ラビリンス構造部に回転軸の径方向に沿って延びる径方向溝部を備える。このために、ラビリンス構造部内に水や異物が入り込んだとしても、その水や異物を径方向溝部から排出することができる。
【先行技術文献】
【特許文献】
【０００３】
【特許文献１】特開２０１６−１１６３９６号公報
【発明の概要】
【発明が解決しようとする課題】
【０００４】
モータの駆動時と静止時とのいずれの場合においても、モータの内部に水が入り込むことを効率良く防止できることが望まれる。これにより、モータの寿命を延ばすことができる。
【０００５】
以上の点に鑑みて、本発明は、内部に水が入り込むことを抑制できるモータを提供することを目的とする。
【課題を解決するための手段】
【０００６】
本発明の例示的なモータは、静止部と、中心軸を中心として回転する回転部と、前記静止部に対して前記回転部を回転可能に支持する軸受部と、を有する。前記静止部は、軸方向一方側の端面に、軸方向一方側に向けて突出する環状の突出部を有する。前記回転部は、軸方向に延び、前記軸受部の径方向内側に位置するシャフトと、前記静止部の軸方向一方側の前記端面より軸方向一方側に離間した位置にて前記シャフトに固定されるカバー部と、を有する。前記カバー部は、前記突出部よりも径方向内側に位置する。前記カバー部の外周面の少なくとも一部は、前記突出部の内周面と径方向に対向する。前記突出部は、軸方向他方側に向けて凹む溝部を有する。前記溝部は、前記突出部の内周面側に開口する第１開口部と、前記突出部の外周面側に開口する第２開口部とを有する。前記第２開口部は、周方向において前記第１開口部よりも前記回転部の回転方向前方側に配置される。
【発明の効果】
【０００７】
例示的な本発明によれば、内部に水が入り込むことを抑制できるモータを提供することができる。
【図面の簡単な説明】
【０００８】
【図１】図１は、本発明の実施形態に係るモータの斜視図である。
【図２】図２は、本発明の実施形態に係るモータの概略構成を示す図である。
【図３】図３は、カバー部及びその周辺を拡大して示した断面図である。
【図４】図４は、モータの軸方向一方側の端部を拡大して示した斜視図である。
【図５】図５は、本発明の実施形態に係るモータを軸方向一方側から見た平面図である。
【図６】図６は、溝部及びその周辺を拡大して示した平面図である。
【図７】図７は、溝部の変形例を示す図である。
【図８】図８は、溝部の構成を更に詳細に説明するための図である。
【図９】図９は、溝部の好ましい構成を説明するための図である。
【発明を実施するための形態】
【０００９】
以下、本発明の例示的な実施形態について、図面を参照しながら詳細に説明する。本明細書では、モータ１の中心軸Ａと平行な方向を「軸方向」、モータ１の中心軸Ａに直交する方向を「径方向」、モータ１の中心軸Ａを中心とする円弧に沿う方向を「周方向」とそれぞれ称する。また、本明細書では、図２に示す方向にモータ１が配置された場合における、中心軸Ａと直交する面を鉛直面とし、当該鉛直面に直交する面を水平面とする。水平方向は水平面に平行な方向であり、鉛直方向は水平面と垂直な方向である。ただし、これらの方向の定義は、本発明に係るモータ１の使用時の向きを限定することを意図しない。
【００１０】
＜１．モータの概略構成＞
まず、本発明の例示的な実施形態に係るモータの概略構成について説明する。図１は、本発明の実施形態に係るモータ１の斜視図である。図２は、本発明の実施形態に係るモータ１の概略構成を示す図である。図２において、下半分は断面図であり、上半分は側面図である。図１及び図２に示すように、モータ１は、静止部２と、回転部３と、軸受部４と、を有する。
【００１１】
静止部２は、ケーシング２０とステータ２１とを有する。ケーシング２０は、内部にステータ２１を収容する。ステータ２１は、ケーシング２０に固定される。
【００１２】
ケーシング２０は、詳細には、ケーシング本体２０１とケーシング蓋２０２とを有する。ケーシング本体２０１は、軸方向一方側に端部壁２０１ａを有し、軸方向他方側に開口する有底円筒形状である。開口側から後述のステータやロータがケーシング本体２０１内に入れられる。なお、端部壁２０１ａは、ケーシング本体２０１と別の部材であってもよい。ケーシング蓋２０２は円板状である。ケーシング蓋２０２は、ケーシング本体２０１の軸方向他方側に配置されて、ケーシング本体２０１の開口を塞ぐ。ケーシング蓋２０２はケーシング本体２０１に固定される。ケーシング蓋２０２をケーシング本体２０１に固定する手法は、特に限定されず、例えばネジやリベット等が使用される。本実施形態では、ケーシング２０は金属製である。ケーシング２０は、金属製に限らず、例えば樹脂製であってよい。
【００１３】
ステータ２１はモータ１の電機子である。ステータ２１は略円環状である。ステータ２１の中心は、モータ１の中心軸Ａと一致する。ステータ２１は、ステータコア２１１と、コイル２１２と、インシュレータ２１３と、を有する。
【００１４】
ステータコア２１１は、例えば磁性鋼板を軸方向に積層して構成される。ステータコア２１１は、詳細には円環状のコアバック２１１ａと、コアバック２１１ａから径方向内側に向けて突出する複数のティース２１１ｂと、を有する。なお、ステータコア２１１は、例えば、コアバックとティースとを有するコアピースを周方向に複数接合して構成してもよい。
【００１５】
コイル２１２は、インシュレータ２１３を介して各ティース２１１ｂに導線を巻き付けることによって構成される。コイル２１２は、周方向に複数配置される。
【００１６】
インシュレータ２１３は、ステータコア２１１とコイル２１２とを電気的に絶縁する絶縁性の樹脂部材である。インシュレータ２１３は、ステータコア２１１の少なくとも一部を覆う。インシュレータ２１３は、例えば、インサート成形によってステータコア２１１と一体化された構成でもよい。また、インシュレータ２１３は、ステータコア２１１とは別部材とされてもよい。この場合、インシュレータ２１３は、例えば、ステータコア２１１に上下から被せられる２つの部材で構成されてもよい。
【００１７】
回転部３は、中心軸Ａを中心として回転する。回転部３は、シャフト３１と、ロータ３２と、カバー部３３と、を有する。回転部３は、ステータ２１の径方向内側に位置する。
【００１８】
シャフト３１は、軸方向に延び、軸受部４の径方向内側に位置する。本実施形態では、シャフト１１は円柱状の金属部材である。シャフト３１は、軸方向一方側において、その一部がケーシング２０内から外部に突出する。ただし、シャフト３１は、軸方向一方側に加えて、軸方向他方側においても、その一部がケーシング２０内から外部に突出してもよい。この場合、軸方向他方側の端面に、例えば、後述のカバー部３３及び突出部２２が設けられてよい。
【００１９】
ロータ３２は、シャフト３１の径方向外側に配置される。ロータ３２は、ケーシング２０の内部に収容され、ステータ２１の径方向内側に位置する。ロータ３２は、詳細には、ロータコア３２１と磁石部３２２とを有する。
【００２０】
円筒状のロータコア３２１は、例えば磁性鋼板を軸方向に積層して構成される。ただし、ロータコア３２１は、例えば、円筒状或いは円柱状の磁性材に加工を施して形成されてもよい。ロータコア３２１の中心には、シャフト３１が圧入される。ロータコア３２１はシャフト３１と共に回転する。
【００２１】
本実施形態では、磁石部３２２は、ロータコア３２１の径方向外側に固定して配置される。磁石部３２２は、周方向にＮ極とＳ極とが並ぶように構成される。磁石部３２２は、例えば、周方向に並ぶ複数の永久磁石によって構成されてもよいし、円筒状の１つの永久磁石によって構成されてもよい。
【００２２】
カバー部３３は、静止部２の軸方向一方側の端面より軸方向一方側に離間した位置にてシャフト３１に固定される。本実施形態では、カバー部３３は、シャフト３１の、ケーシング２０の軸方向一方側から外部に突出する部分に固定される。すなわち、カバー部３３は、ケーシング２０の外部に位置する。カバー部３３は、端部壁２０１ａの軸方向一方側の端面から軸方向一方側に離間している。カバー部３３は、合成ゴムや天然ゴム等の弾性に富む部材で構成することが好ましい。カバー部３３は、シャフト３１と共に回転する。カバー部３３は、モータ１の内部に水や塵埃が入ることを防止する。カバー部３３は、軸受部４よりも軸方向一方側に位置し、軸受部４に水や塵埃が浸入することを防ぐ。カバー部３３の詳細な構造については後述する。
【００２３】
軸受部４は、静止部２に対して回転部３を回転可能に支持する。軸受部４は、シャフト３１の径方向外側に位置してシャフト３１に固定される。本実施形態では、軸受部４は、第１軸受４１と第２軸受４２とを有する。第１軸受４１及び第２軸受４２は玉軸受である。ただし、これらは、スリーブ軸受等の別の種類の軸受であってもよい。
【００２４】
第１軸受４１は、ケーシング本体２０１の軸方向一方側の端部壁２０１ａの内面側に設けられる第１保持部４３に保持される。第１保持部４３は、端部壁２０１ａの内面から軸方向他方側に延びる円筒部である。本実施形態においては、ケーシング本体２０１と第１保持部４３は単一部材である。
【００２５】
第２軸受４２は、ケーシング蓋２０２の内面側に設けられる第２保持部４４に保持される。第２保持部４４は、ケーシング蓋２０１の内面から軸方向一方側に延びる円筒部である。本実施形態においては、第２保持部４４とケーシング蓋２０２は単一部材である。
【００２６】
モータ１においては、コイル２１２に電流が供給されることにより、ティース２１１ｂに径方向の磁束が発生する。この磁束によって形成される磁界と、磁石部３２２によって形成される磁界とが作用して、ロータ３２の周方向にトルクが発生する。このトルクによって、回転部３が中心軸Ａを中心として回転する。コイル２１２への電流の供給が停止されると、回転部３の回転は停止される。
【００２７】
＜２．カバー部及びその周辺の詳細構成＞
図３は、カバー部３３及びその周辺を拡大して示した断面図である。図４は、モータ１の軸方向一方側の端部を拡大して示した斜視図である。図４においては、カバー部３３が取り外されている。
【００２８】
図１から図４に示すように、静止部２は、軸方向一方側の端面に、軸方向一方側に向けて突出する環状の突出部２２を有する。詳細には、突出部２２は円環状である。突出部２２は、端部壁２０１ａの外面から軸方向一方側に向けて突出する。突出部２２の中心は中心軸Ａと一致する。本実施形態では、突出部２２とケーシング本体２０１とは単一部材である。ただし、突出部２２はケーシング本体２０１と別部材でもよい。カバー部３３は、突出部２２よりも径方向内側に位置する。
【００２９】
突出部２２は、シャフト３１よりも径方向外側に位置する。このために、突出部２２は、突出部２２より径方向外側に存在する水が径方向に沿ってシャフト３１に至ることを妨げることができる。本実施形態では、モータ１の中心軸Ａは水平方向に延びる。このために、水は突出部２２の環状の外側の面に沿って落下する。これにより、シャフト３１に水が至ることを妨げることができ、水がシャフト３１をつたって軸受部４に浸入し難くすることができる。
【００３０】
図３及び図４に示すように、静止部２は、軸方向一方側の端面に軸方向一方側に向けて突出する第１環状凸部２３を有する。第１環状凸部２３は、突出部２２より径方向内側、且つ、シャフト３１より径方向外側に配置される。詳細には、第１環状凸部２３は円環状である。第１環状凸部２３は、端部壁２０１ａの外面から軸方向一方側に向けて突出する。第１環状凸部２３の中心は中心軸Ａと一致する。本実施形態では、第１環状凸部２３とケーシング本体２０１とは単一部材である。ただし、第１環状凸部２３はケーシング本体２０１と別部材でもよい。シャフト３１は、第１環状凸部２３の中央の貫通孔を介してケーシング２０の外部に突出する。
【００３１】
第１環状凸部２３と突出部２２とは、径方向に間隔をあけて配置される。すなわち、第１環状凸部２３と突出部２２との間には軸方向他方側に向けて凹む窪みが形成される。突出部２２に加えて第１環状凸部２３が設けられたことにより、突出部２２より径方向外側に存在する水が径方向内側に存在するシャフト３１に至るまでの距離を長くして、軸受部４への水の浸入を抑制することができる。本実施形態では、モータ１の中心軸Ａが水平方向に延びる構成であるために、水を第１環状凸部２３の外側の面に沿って落下させることができ、軸受部４への水の浸入を防ぐことができる。本実施形態では、第１環状凸部２３の軸方向一方側の端面は、突出部２２の軸方向一方側の端面よりも軸方向一方側に位置する。このために、突出部２２より径方向外側に存在する水が径方向内側に存在するシャフト３１に至るまでの距離を更に長くすることができる。
【００３２】
なお、軸受部４は、第１環状凸部２３より軸方向他方側に位置する。詳細には、軸方向一方側からの平面視において、第１環状凸部２３は、軸受部４の少なくとも一部を覆う。これにより、軸受部４の保護性能を向上することができる。
【００３３】
第１環状凸部２３には、第１環状凸部２３の外周面よりも径方向内側に配置され、軸方向一方側に向けて突出する第２環状凸部２４が設けられる。詳細には、第２環状凸部２４は円環状である。第２環状凸部２４の中心は中心軸Ａと一致する。本実施形態では、第２環状凸部２４とケーシング本体２０１とは単一部材である。ただし、第２環状凸部２４はケーシング本体２０１と別部材でもよい。シャフト３１は、第２環状凸部２４の中央の貫通孔を介してケーシング２０の外部に突出する。
【００３４】
第１環状凸部２３に加えて第２環状凸部２４が設けられたことにより、突出部２２より径方向外側に存在する水が径方向内側に存在するシャフト３１に至るまでの距離を更に長くして、軸受部４への水の浸入を抑制することができる。本実施形態では、モータ１の中心軸Ａが水平方向に延びる構成であるために、水を第２環状凸部２４の外側の面に沿って落下させることもでき、軸受部４への水の浸入を抑制することができる。
【００３５】
なお、第２環状凸部２４は、第１環状凸部２３よりも径方向内側に間隔をあけて配置される構成としてもよい。すなわち、第１環状凸部２３と第２環状凸部２４との径方向間に、軸方向他方側に向けて凹む窪みが設けられる構成としてよい。また、本実施形態では、突出部２２の径方向内側に設けられる凸部の数は２つとしているが、凸部の数は１つ又は３つ以上であってもよい。また、突出部２２の径方向内側に凸部が設けられない構成としてもよい。
【００３６】
図１から図３に示すように、カバー部３３は、軸方向他方側に開口するカップ形状である。詳細には、カバー部３３は、カバー端部壁３３１とカバー側壁３３２とを有する。カバー端部壁３３１は、軸方向からの平面視において円環状である。カバー側壁３３２は、カバー端部壁３３１から軸方向他方側に延びる円筒状である。
【００３７】
カバー端部壁３３１の中央の貫通孔３３１ａには、シャフト３１が挿入される。シャフト３１の一部には、径方向内側に凹み、シャフト３１の外周を一周するシャフト溝３１ａが設けられる。円環状のカバー端部壁３３１の内周側の一部が弾性変形してシャフト溝３１ａに嵌り込み、カバー部３３はシャフト３１に固定される。カバー部３１より軸方向一方側に存在する水は、カバー部３３のシール機能によって妨害されるために、シャフト３１をつたって軸受部４に到達し難い。
【００３８】
カバー部３３の外周面の少なくとも一部は、突出部２２の内周面と径方向に対向する。本実施形態では、カバー部３３の外周面の一部が突出部２２の内周面と径方向に対向する。カバー端部壁３３１は、突出部３３の軸方向一方側の端部よりも軸方向一方側に位置する。
【００３９】
カバー部３３の軸方向に延びるカバー側壁３３２は、突出部２２と第１環状凸部２３との間に位置する。カバー部３３は、第１環状凸部２３を覆う。詳細には、カバー側壁３３２の軸方向他方側の端部は、突出部２２と第１環状凸部２３との径方向間に形成される軸方向他方側に向けて凹む窪み部分に入る。カバー側壁３２２と突出部２２との径方向の隙間、及び、カバー側壁３２２と第１環状凸部２３との径方向の隙間は小さく形成される。突出部２２、カバー側壁３３２、及び、第１環状凸部２３は、この順番で径方向内側に向けて並び、ラビリンス構造を形成する。水はラビリンス構造を通過し難い。また、本実施形態では、モータ１の中心軸Ａが水平方向に延びる構成であるために、水をカバー部３３の外側の面に沿って落下させることができる。したがって、本実施形態によれば、突出部２２の径方向外側に存在する水は、径方向内側に存在するシャフト３１に到達し難く、シャフト３１をつたって軸受部４に水が浸入することを抑制することができる。
【００４０】
カバー部３３の内部には、軸方向一方側に向けて凹み、第２環状凸部２４と対向する環状凹部３３３が設けられる。詳細には、カバー端部壁３３１の軸方向他方側の面には、軸方向他方側に向けて突出する円環状の２つのカバー凸部３３４、３３５が設けられる。第１カバー凸部３３４は、第２カバー凸部３３５より径方向内側に位置する。第１カバー凸部３３４と第２カバー凸部３３５とは径方向に間隔をあけて配置される。環状凹部３３３は、２つのカバー凸部３３４、３３５の間に設けられる。
【００４１】
第２環状凸部２４は、その一部が環状凹部３３３に僅かな隙間をあけて入り込む。すなわち、本実施形態では、第２環状凸部２４及び環状凹部３３３によってラビリンス構造が形成され、水を通過し難くできる。本実施形態によれば、突出部２２の径方向外側に存在する水は径方向内側に存在するシャフト３１に到達し難く、シャフト３１をつたって軸受部４に水が浸入することを抑制することができる。
【００４２】
図５は、本発明の実施形態に係るモータ１を軸方向一方側から見た平面図である。なお、図５に示す太い矢印はモータ１を駆動させた場合の回転部３の回転方向を示す。また、図５における一点鎖線Ｓは水平面を示す。水平面Ｓは中心軸Ａを含む。図１、図４及び図５に示すように、突出部２２は、軸方向他方側に向けて凹む溝部２２１を有する。図６は、溝部２２１及びその周辺を拡大して示した平面図である。
【００４３】
図６に示すように、溝部２２１は、第１開口部２２１１と第２開口部２２１２とを有する。第１開口部２２１１は、突出部２２の内周面側に開口する。第２開口部２２１２は、突出部２２の外周面側に開口する。第１開口部２２１１と第２開口部２２１２とは、溝部２２１を構成する空間によって繋がっている。
【００４４】
第２開口部２２１２は、周方向において第１開口部２２１１よりも回転方向前方側に配置される。換言すると、溝部２２１は、径方向に対して回転部３の回転方向に沿って傾斜した方向に延びる。本構成によれば、モータ１の駆動によってシャフト３１と共にカバー部３３が回転する。突出部２２は、突出部２２とカバー部３３との間に存在する水を外部に排出することができる溝部２２１を有する。溝部２２１がカバー部３３の回転方向に沿った傾斜を有するために、モータ１の駆動時において、突出部２２とカバー部３３との間に存在する水を溝部２２１によって効率良く外部に排出することができる。
【００４５】
なお、径方向に対して傾斜する溝部２２１の、径方向に対する傾きの大きさは特に限定されない。例えば、モータ１のサイズ、形状、及び回転速度の少なくとも１つを考慮して、傾斜の大きさは変更されてよい。モータ１の回転方向が本実施形態と逆である場合には、溝部２２１が径方向に対して傾く方向は本実施形態と反対になる。
【００４６】
図６に示すように、溝部２２１は、周方向に対向する一対の側壁２２１３ａ、２２１３ｂを有する。一対の側壁２２１３ａ、２２１３ｂのうち、少なくとも回転方向後方側に位置する側壁２２１３ａは平面Ｐを有することが好ましい。本実施形態では、一対の側壁２２１３ａ、２２１３ｂは、いずれも平面Ｐを有する。一対の側壁２２１３ａ、２２１３ｂが有する各平面Ｐは互いに平行である。ただし、一対の側壁２２１３ａ、２２１３ｂが有する各平面Ｐは互いに平行でない構造であってもよい。なお、各側壁２２１３ａ、２２１３ｂが平面Ｐを有する場合でも、各側壁２２１３ａ、２２１３ｂの一部に曲面が設けられてよい。例えば、開口部２２１１、２２１２の近傍に曲面が設けられてよい。
【００４７】
図７は、溝部２２１の変形例を示す図である。図７に示すように、溝部２２１の回転方向後方側に位置する側壁２２１３ａは湾曲面Ｃを有してよい。湾曲面Ｃは、図７に実線で示すように凹面Ｃ１でもよいし、図７に一点鎖線で示すように凸面Ｃ２でもよい。ただし、湾曲面Ｃが凹面Ｃ１である場合には、湾曲面Ｃ上に水が溜まる虞がある。湾曲面Ｃが凸面Ｃ２である場合には、第１開口部２２１１の周方向の幅が狭くなり、水の排出効率が低下する虞がある。本実施形態のように、少なくとも回転方向後方側の側壁２２１３ａが平面を有する構成とすると、水を効率良く排出できる。また、本実施形態の構成によれば、水が溝部２２１に溜まる可能性を低減することができる。
【００４８】
図８は、溝部２２１の構成を更に詳細に説明するための図である。図８に示すように、第１開口部２２１１の周方向の幅Ｗ１は、第２開口部２２１２の周方向の幅Ｗ２より大きい。これによれば、突出部２２の径方向内側に存在する水を第１開口部２２１１から溝部２２１内に排出しやすくできる。また、これによれば、外部の水が第２開口部２２１２を介して溝部２２１内に入り、更に、突出部２２の径方向内側に入る可能性を低減することができる。
【００４９】
なお、２つの開口部２２１１、２２１２の周方向の幅は、本実施形態の構成とは異なる構成であってもよい。例えば、第１開口部２２１１の周方向の幅Ｗ１と第２開口部２２１２の周方向の幅Ｗ２とは同じであってもよい。
【００５０】
図８に示すように、第１開口部２２１１の周方向の幅Ｗ１は、カバー部３３の外周面と突出部２２の内周面との径方向の距離Ｒより大きいことが好ましい。これによれば、カバー部３３の外周面と、突出部２２の内周面との径方向の距離Ｒを小さくすることができる。このために、軸方向からモータ１に水がかかった場合でも、カバー部３３と突出部２２との間に水が入り難くすることができる。また、これによれば、第１開口部２２１１の幅を広くして、カバー部２２と突出部３３との間に入り込んだ水を外部に排出し易くすることができる。
【００５１】
図５に示すように、本実施形態では、溝部２２１は、周方向に間隔をあけて複数設けられる。本実施形態では、溝部２２１の数は３つであるが、その数は特に限定されない。複数の溝部２２１が設けられることによって、モータ１の駆動時に、複数箇所からカバー部３３と突出部２２との間に存在する水を外部に排出することができる。このために、モータ１の内部に水が浸入し難くすることができる。なお、溝部２２１の数は１つであってもよい。
【００５２】
本実施形態では、モータ１の中心軸Ａが水平方向に延びる。溝部２２１は、中心軸Ａを含む水平面Ｓよりも鉛直方向下側に配置される。本実施形態では、複数の溝部２２１が設けられるが、複数の溝部２２１のいずれもが水平面Ｓよりも鉛直方向下側に配置される。本実施形態によれば、モータ１が静止している場合においても、重力の作用によって鉛直方向上側から落ちてくる水を溝部２２１によって外部に排出することができる。
【００５３】
なお、複数の溝部２２１、それらの全てが水平面Ｓより鉛直方向下側に配置される必要はない。例えば、複数の溝部２２１のうちの一部が水平面Ｓより鉛直方向上側に配置されてもよい。また、溝部２２１の数が１つである場合には、当該溝部２２１は水平面Ｓより下側に設けられることが好ましい。この場合、溝部２２１においては、第１開口部２２１１から鉛直方向下向きに向かう方向に第２開口部２２１２が位置することが好ましい。これにより、モータ１が静止している場合でも、重力の作用によって溝部２２１を介して水の排出を行うことができる。
【００５４】
図９は、溝部の好ましい構成を説明するための図である。図９において破線矢印Ｂは鉛直方向下向きを指す。モータ１の中心軸Ａが水平方向に延びる。このために、図９に示すように、溝部２２１の少なくとも１つにおいて、第１開口部２２１１から鉛直方向下向きに向かう方向に第２開口部２２１２が位置することが好ましい。これによれば、少なくとも１つの溝部２２１によって、水を鉛直方向下向きに落下させて、突出部２２の径方向内側に存在する水を外部に排出することができる。このために、モータ１が静止している場合でも、溝部２２１によって効率良く水を外部に排出することができる。
【００５５】
＜３．留意点＞
以上に示した実施形態や変形例の構成は、本発明の例示にすぎない。実施形態や変形例の構成は、本発明の技術的思想を超えない範囲で適宜変更されてもよい。また、以上に示した実施形態及び複数の変形例は、可能な範囲で組み合わせて実施されてよい。
【００５６】
また、本発明は、中心軸Ａが水平方向に延びるモータ１以外に適用されてよい。例えば、本発明は、中心軸Ａが鉛直方向に延びるモータに適用されてよい。
【産業上の利用可能性】
【００５７】
本発明は、例えば屋外等の水がかかり易い環境に配置されるモータ等に広く適用できる。本発明は、例えば、鉄道用の空調機に適用されるモータに利用可能である。
【符号の説明】
【００５８】
１・・・モータ
２・・・静止部
３・・・回転部
４・・・軸受部
２２・・・突出部
２３・・・第１環状凸部
２４・・・第２環状凸部
３１・・・シャフト
３３・・・カバー部
２２１・・・溝部
３３３・・・環状凹部
２２１１・・・第１開口部
２２１２・・・第２開口部
２２１３ａ、２２１３ｂ・・・一対の側壁
Ａ・・・中心軸
【図１】
2018198503.tif 000003
【図２】
2018198503.tif 000004
【図３】
2018198503.tif 000005
【図４】
2018198503.tif 000006
【図５】
2018198503.tif 000007
【図６】
2018198503.tif 000008
【図７】
2018198503.tif 000009
【図８】
2018198503.tif 000010
【図９】
2018198503.tif 000011